(57)【要約】【課題】施設を利用する者にとって、施設利用時における申込み手続きなどの負担を効率的に軽減化し得る技術を提供する。【解決手段】ユーザが本システムを利用するアプリケーションをダウンロードしたユーザ端末から日常的に使用しているアプリ情報、及び／又はユーザ端末とユーザが利用する各施設の各Ｗｅｂサイト間のＷｅｂ情報を収集、蓄積し、当該蓄積した情報をもとに各施設に応じた申込みフォームに沿った申込み手続き情報（サービス情報）を生成し、申込み手続き情報（サービス情報）を例えば、二次元コード化し、二次元コード（ＱＲコード）してユーザ端末を介してユーザに提供する手段を設ける。【選択図】図５
2020107032.tif 000002
【特許請求の範囲】
【請求項１】
ユーザが使用するユーザ端末およびユーザが利用する第１、第２施設に対応する第１、第２Ｗｅｂサイトに接続されるクイックアレンジメントシステムであって、
前記ユーザ端末を利用して前記クイックアレンジメントシステムから提供されるアプリケーションを使用したとき、
前記アプリケーションに関するアプリ情報を収集し、記憶装置に蓄積するアプリ情報収集・蓄積手段と、
前記ユーザ端末を利用して前記クイックアレンジメントシステムに関連する第１、第２施設における第１、第２Ｗｅｂサイトにアクセスしたとき、
前記第１、第２Ｗｅｂサイトから第１、第２Ｗｅｂ情報を収集し、前記記憶装置に蓄積するＷｅｂ情報収集・蓄積手段と、
前記ユーザ端末から前記第１施設または前記第２施設の利用申し込み依頼を受けたとき、
前記記憶装置に蓄積された前記アプリ情報及び／又は前記Ｗｅｂ情報をもとに前記第１施設または前記第２施設に応じたサービス情報を生成するサービス情報生成手段と、
前記サービス情報を前記ユーザ端末に提供するサービス情報伝達・提示手段と、
を備え、
前記サービス情報を前記第１または第２施設にて決められた申し込みフォームへの申し込み手続き情報として利用可能としたことを特徴とするクイックアレンジメントシステム。
【請求項２】
請求項１に記載されたクイックアレンジメントシステムにおいて、
前記アプリ情報は、
ユーザの児童情報、アレルギー情報、利用履歴および複数の施設の各施設情報、を含み、
前記第１、第２施設は、
ホテル、旅館、保育園、福利厚生会社、ベビーシッター、レストラン、レンタカー、アクティビティの何れか１つ以上であり、
前記サービス情報伝達・提示部は、サービス情報をＱＲコード化してユーザ端末へ伝達するコード作成・伝達部かからなり、
前記利用情報生成手段は、
前記アプリ情報をもとに前記施設に応じた情報のカスタマイズを行い、当該カスタマイズした情報をＱＲコード化して生成し、前記ユーザ端末へ提供する
ことを特徴とするクイックアレンジメントシステム。
【請求項３】
請求項２に記載されたクイックアレンジメントシステムにおいて、
前記アプリ情報をもとに前記施設に応じた情報のカスタマイズは、
前記記憶装置の利用履歴ＤＢにおけるＰＭＣ．ｆａｍおよび契約情報ＤＢにおけるホテル、ベビーシッター、レンタカー、アクティビティの第１カスタマイズ、
前記記憶装置のアレルギー情報ＤＢにおける食物アレルギーおよび施設情報ＤＢにおけるレストランの第２カスタマイズ、
前記記憶装置の児童情報ＤＢにおける保護者の氏名、住所、生年月日、子（児童）の氏名、性別、出生場所、生年月日、子の身長、体重、血液型、子の発育歴（例えば、食事、睡眠、性格など）、子の健康状態（平均体温、現在かかっている病気など）、子の過去の病気（含予防接種情報）、施設情報ＤＢや空き情報ＤＢにおける旅館、保育園の第３カスタマイズの１つ以上である
ことを特徴とするクイックアレンジメントシステム。
【請求項４】
請求項１〜３の何れか１項に記載されたクイックアレンジメントシステムとの間で情報の送受を可能とし、前記ユーザ端末からユーザが入力した各種の情報を含むアプリ情報および前記第１、第２ＷｅｂサイトにアクセスしたときのＷｅｂ情報を前記クイックアレンジメントシステム側に送信し、前記クイックアレンジメントシステム側からのサービス情報を受信する端末装置。
【発明の詳細な説明】
【技術分野】
【０００１】
本発明は、例えば、各施設への手続きを簡略化する機能を有するクイックアレジメントシステムおよび端末装置に関する。
さらに詳しくは、例えば、親子での旅行時、ユーザ端末からネットワークを介して子供を一時的に預かりする複数の施設、例えば、保育園、ホテル、旅館やその代理店などへの申入れを行ったとき、各施設の各Ｗｅｂサイトから指定された申込みフォーム（利用申込書）への入力を支援する機能を有するクイックアレジメントシステムに関する。
【背景技術】
【０００２】
ユーザが、保育園などの施設を利用する場合、直接又は間接的に何等かの利用申込みなどの手続きが必要である。例えば、児童を一時的に保育施設などに預けようとする場合、一般的には、児童の保護者（ユーザ）が自ら利用施設、利用日時などの利用可否をインターネットなどで情報を収集し、しかるのち、利用条件に適した施設の中から所望の施設を選択し、かつ選択した施設への一時預けかり保育申込み手続き（利用申込書への記述し、施設側へ利用申込）を実際に施設に出向いて、又は施設のＷｅｂサイトを介して行う方法がとられている。
【０００３】
特開２０１６−１４３３８４号公報（特許文献１）に記載された技術がある。この公報には、「利用者側からの利用条件に沿った託児施設（含保育機関、会社）における調査・問い合わせ依頼を受けて、当該利用条件に合った検索結果を利用者側に対して回答した後、当該問い合わせ依頼回答から予約・申込申請までの待時間ｔが所定時間Ｔを超えたか否か（ｔ＞Ｔ）及び／又は他の利用者から同一対象施設の調査・問い合わせ依頼を受けた場合、先の問い合わせ利用者側への予約受け付けを断る旨の通知を行う手段を有する託児予約システム」という記載がある。
【先行技術文献】
【特許文献】
【０００４】
【特許文献１】特開２０１６−１４３３８４号公報
【発明の概要】
【発明が解決しようとする課題】
【０００５】
しかし、従来のように、ユーザが、スマホなどのユーザ端末からネットワークを介して施設のＷｅｂサイトに予約などを行い、実際に施設に出向いたとき、利用施設の受付で利用や申込みなどの手続きを行う方法にあっては、特に時間的に余裕がない多忙な利用者にとっては、保育施設にて決められた多岐に亘る多項目に記入し、申込みや申請手続きを行うことは容易でなく、利用者にとって時間的な負担になっている課題があった。
【０００６】
また、特許文献１では、保育施設などへの予約については簡略化することができるも、利用施設での利用申込の手続きを簡略化することまでについては考慮されていない。そのため、託児施設の空き状況などの確認、予約、託児依頼申込申請を効率的に実施することに留まる。
【０００７】
そこで、本発明では、施設を利用する者にとって、施設利用時における申込み手続きなどの負担を効率的に軽減化し得る技術を提供することを目的とする。
【課題を解決するための手段】
【０００８】
上記課題を達成するために、代表的な本発明のクイックアレジメントシステムおよび端末装置の一つは、ユーザが本システムを利用するアプリケーションをダウンロードしたユーザ端末から日常的に使用しているアプリ情報、及び／又はユーザ端末とユーザが利用する各施設の各Ｗｅｂサイト間のＷｅｂ情報を収集、蓄積し、当該蓄積した情報をもとに各施設に応じた申込みフォームに沿った申込み手続き情報（サービス情報）を生成し、申込み手続き情報（サービス情報）を例えば、二次元にコード化し、この二次元コード（ＱＲコード（登録商標））を、ユーザ端末を介してユーザに提供する手段を設けたものである。
【０００９】
例えば、本発明のクイックアレジメントシステムの一つは、
ユーザが使用するユーザ端末およびユーザが利用する第１、第２施設に対応する第１、第２Ｗｅｂサイトに接続されるクイックアレンジメントシステムであって、
前記ユーザ端末を利用して前記クイックアレンジメントシステムから提供されるアプリケーションを使用したとき、
前記アプリケーションに関するアプリ情報を収集し、記憶装置に蓄積するアプリ情報収集・蓄積手段と、
前記ユーザ端末を利用して前記クイックアレンジメントシステムに関連する第１、第２施設における第１、第２Ｗｅｂサイトにアクセスしたとき、
前記第１、第２Ｗｅｂサイトから第１、第２Ｗｅｂ情報を収集し、前記記憶装置に蓄積するＷｅｂ情報収集・蓄積手段と、
前記ユーザ端末から前記第１施設または前記第２施設の利用申し込み依頼を受けたとき、
前記記憶装置に蓄積された前記アプリ情報及び／又は前記Ｗｅｂ情報をもとに前記第１施設または前記第２施設に応じたサービス情報を生成するサービス情報生成手段と、
前記サービス情報を前記ユーザ端末に提供するサービス情報伝達・提示手段と、
を備え、
前記サービス情報を前記第１または第２施設にて決められた申し込みフォームへの申し込み手続き情報として利用可能としたことを特徴とする。
【発明の効果】
【００１０】
本発明によれば、本システムから提供するアプリを使用することにより、ユーザが使用する施設への申し込みに必要とされる様々な情報を自動的に収集、蓄積することができ、この収集・蓄積された情報をもとにユーザが使用する施設への申し込み手続き情報を自動的に生成することができ、その結果としてユーザによる申し込み手続き時の負担を軽減化することができる。
【図面の簡単な説明】
【００１１】
【図１】本発明のクイックアレジメントシステムとユーザ端末および施設のＷｅｂサイトとの接続関係を示すブロック図。
【図２】本発明のクイックアレジメントシステムの演算装置の機能ブロック図。
【図３】本発明のクイックアレジメントシステムの記憶装置の構成を示すブロック図。
【図４】本発明のクイックアレジメントシステム（演算装置）の処理手順を説明するフローチャート。
【図５】クイックアレジメントシステムにおけるサービス情報（施設申請情報）を生成する様子を説明する図。
【図６】クイックアレジメントシステムにおけるサービス情報（施設申請情報）をもとに施設に応じた情報をＱＲコード化してＱＲコードを生成する様子を説明する図。
【発明を実施するための形態】
【００１２】
以下、本発明の実施例について図面を参照して説明する。本例において、クイックアレンジメント（quick arrangement）とは、本出願人により開発され、ウェブサイト上で利用者（登録ユーザ）に提供するサービスであって、諸手続きの簡素化、例えば、「保育付ツアー」申込み時時に預ける子供（児童）の情報を事前に申請することで、旅行当日の面倒な手続きを短縮するサービスである。更に詳しくは、本システムを運営する会社が企画する旅行商品に付随するサービスであり、旅先で子供を保育園に預ける際の手続きを簡素化し、保護者（利用者）の手続き負担を軽減でき、つまり、利用者側が保育園探し、申込み、入園手続きなどが容易にできる上、受入側の保育園が必要な情報を事前に知り得ることができ、より安心で安全な保育を可能とするサービスである。本発明は、この利用申込書などの手続きの簡素化をさらに発展させたものである。
【実施例】
【００１３】
図１は、本発明のクイックアレジメントシステム５とユーザ端末１および施設３のＷｅｂ２（Ｗｅｂサイト２１〜２３）との接続関係を示すブロック図である。
【００１４】
クイックアレジメントシステム５は、サーバからなり、ネットワーク４を介してユーザ側のユーザ端末１および施設および代理店３側のＷｅｂサイト２１〜２３に接続され、ユーザ端末およびＷｅｂサイト２１〜２３から所望の情報を収集し、記憶装置５２（ＤＢ５２１〜５２６）に記憶する機能、ユーザ端末１およびＷｅｂサイト２１〜２３から収集した情報をもとにユーザ端末１を介してユーザに提供するサービス情報を生成する機能、サービス情報を、例えば、ＱＲコードとしてユーザ端末１に送信し、提示する機能を有する。これらの機能については後述する。
【００１５】
ユーザ端末１は、クイックアレジメントシステム５を使用するための、例えば、ｆａｍ．会員対象のアプリを搭載した端末装置であり、当該ユーザ端末を使用したとき、日々アプリ使用で扱う情報（以下、アプリ情報と称する）、例えば、会員登録やログインの各情報などを保有し、逐次クイックアレジメントシステム側に送信する機能を有する。
【００１６】
Ｗｅｂサイト２１〜２３は、各施設３１〜３３、例えば、保育園３１、ホテル３２、代理店３３、また、図示していないが旅館、福利厚生会社、ベビーシッター、レストラン、レンタカー、アクティビティ（ユーザの活動状況）、老人ホームなどに対応するＷｅｂサイトであり、ユーザ端末１と各Ｗｅｂサイト２１〜２３との間で送受する情報、例えば、問合せ、申し込み、確認、予約完了、案内、その他各サービスのやりとりの各情報（以下、Ｗｅｂ情報と称する）を保有し、逐次クイックアレジメントシステム側に送信する機能を有する。
【００１７】
図２は、本発明のクイックアレジメントシステム５の演算装置５３の機能ブロック図である。
クイックアレジメントシステム５は、通信装置５１、記憶装置５２、演算装置５３を有する。
【００１８】
通信装置５１は、ユーザ端末１およびＷｅｂサイト２１〜２３との間で情報の通信を行う装置である。
【００１９】
記憶装置５２は、ユーザ端末１およびＷｅｂサイト２１〜２３から収集したアプリ情報やＷｅｂ情報などの各種の情報を記憶するデータベース５２１〜５２６（ＤＢ）を含む装置である。
アプリ情報は、例えば、ユーザの児童情報、アレルギー情報、施設などを利用したときの利用履歴、契約情報などを含み、Ｗｅｂ情報は、例えば、施設３の施設情報、空き情報などを含む。詳しくは、後述する。
【００２０】
演算装置５３は、内部に格納されたプログラムに従って各装置の動作を制御するものであり、アプリ情報収集部５３１、Ｗｅｂ情報収集部５３２、自動入力・更新部５３３、施設に関するサービス情報生成部５３４、サービス情報伝達部５３５、例えば、コード作成・提示部５３５１を有する。
【００２１】
アプリ情報収集部５３１は、ユーザ端末１からのユーザ情報であって、日々のアプリ使用時における各種のお客様情報、例えば、児童情報、アレルギー情報などの登録情報、スケジュール管理、メモ、お知らせなどの各情報を収集し、記憶装置５２（ＤＢ）に記憶する。これらの情報収集は、適宜、若しくはアプリ使用時に自動的に収集する。
【００２２】
Ｗｅｂ情報収集部５３２は、Ｗｅｂサイト２１〜２３からのＷｅｂ情報であって、ユーザ端末１とＷｅｂサイト２１〜２３間でやりとりする情報、例えば、問合せ、申し込み、確認、予約完了、案内、その他各サービスのやりとりの各情報を収集し、記憶装置５２（ＤＢ）に記憶する。これらの情報収集は、適宜、若しくはアプリ使用時に自動的に収集する。
【００２３】
自動入力・更新部５３３は、記憶装置５２（ＤＢ）に記憶した情報の中に、Ｗｅｂサイト側における、例えば、予め決められたお客様情報入力フォームやクイックアレジメント利用申込フォームへの所定の項目に該当する情報がある場合、自動的に入力、または変更（更新）する。
【００２４】
施設に関するサービス情報生成部５３４は、記憶装置（ＤＢ）に記憶した情報をもとに各施設に応じたサービス情報、例えば、保育園、ホテル、代理店、レストラン、老人ホームを利用するに際して必要となる申込み手続書に必要となる申請情報を生成する。
【００２５】
サービス情報伝達部５３５としては、例えば、サービス情報をユーザ端末に伝達する手段であればよい。例えば、サービス情報をＷｉＦｉなどで直接ユーザ端末に通信し、提示する通信・提示部、或いは、サービス情報を符号化（コード化）してからユーザ端末に伝達するコード作成・提示部であってもよい。本例では、サービス情報を符号化、例えば、ＱＲコード化するコード作成・提示部５３５１として説明する。
コード作成・提示部５３５１は、申請情報を符号化、例えば、二次元コード化してＱＲコードとしてユーザ端末に送信し、提示する。
【００２６】
図３は、本発明のクイックアレジメントシステムの記憶装置の構成を示すブロック図である。
記憶装置５２は、児童情報ＤＢ５２１、アレルギー情報ＤＢ５２２、利用履歴ＤＢ５２３、施設情報ＤＢ５２４、施設空き情報ＤＢ５２５、契約情報ＤＢ５２６などを有する。
【００２７】
児童情報ＤＢ５２１は、ユーザによりユーザ端末を介して入力される情報、例えば、保護者の氏名、住所、生年月日、子（児童）の氏名、性別、出生場所、生年月日、子の身長、体重、血液型、子の発育歴（例えば、食事、睡眠、性格など）、子の健康状態（平均体温、現在かかっている病気など）、子の過去の病気（含予防接種情報）、その他（好きなこと、呼び名、注意点など）の各情報をそれぞれ区別して記憶する。
【００２８】
アレルギー情報ＤＢ５２２は、ユーザによりユーザ端末を介して入力される情報、例えば、食物アレルギー、ぜんそく、アトピー性皮膚炎、その他（お薬手帳など処方内容など）の各情報をそれぞれ区別して記憶する。
【００２９】
利用履歴ＤＢは、例えば、ユーザが利用した各施設の各Ｗｅｂサイト（PMC．Fam、ｘｘ．Fam、ｙｙ．fam）の情報を記憶する。
【００３０】
施設情報ＤＢは、各施設の各Ｗｅｂサイトの情報、例えば、ホテル、旅館、保育園、福利厚生会社、ベビーシッター、レストラン、レンタカー、アクティビティなどの各情報を記憶する。
【００３１】
空き情報ＤＢは、各施設の各Ｗｅｂサイトの情報、例えば、施設（ホテル、旅館、保育園など）や飛行機、その他の各空き情報を記憶する。
【００３２】
契約情報ＤＢは、各施設の各Ｗｅｂサイトとの契約情報（PMC．Fam、ｘｘ．Fam、ｙｙ．fam）を記憶する。
【００３３】
図４は本発明のクイックアレジメントシステム５とユーザ端末１と施設３のＷｅｂサイト２１〜２３間のシーケンスおよびクイックアレジメントシステム５（演算装置５３）の処理手順を説明するフローチャートである。
【００３４】
図４のシーケンスおよびフローチャートに基づく動作は以下のとおりである。
まず、利用者（ユーザ）が本クイックアレジメントシステム５を利用する場合は、予め、ユーザ端末１に本システム用のアプリをダウンロードし、会員登録、ログインする（ステップＳ２０１）。
【００３５】
ステップＳ５０１：
クイックアレジメントシステム５は、ユーザがユーザ端末１を介して各施設３１〜３３に対応する各Ｗｅｂサイト２１〜２３をアクセスしたとき（Ｓ１０１）、このアプリ使用時のアプリ情報を収集し、記憶装置５２（ＤＢ）に蓄積する。
【００３６】
ステップＳ５０２：
また、クイックアレジメントシステム５は、ユーザがユーザ端末１を介して各施設３１〜３３に対応する各Ｗｅｂサイト２１〜２３をアクセスしたとき（Ｓ３０１）、各Ｗｅｂサイト２１〜２３の各Ｗｅｂ情報も収集し、記憶装置５２（ＤＢ）に蓄積する。
【００３７】
ステップＳ５０３：
クイックアレジメントシステム５の演算装置５３は、記憶装置５２（ＤＢ）に蓄積したアプリ情報及び／又は各Ｗｅｂ情報をもとにＷｅｂサイト２１〜２３側の各施設３１〜３３におけるお客様情報、クイックアレジメント利用情報を自動入力・更新する。
【００３８】
ステップＳ５０４：
また、クイックアレジメントシステム５の演算装置５３は、記憶装置５２（ＤＢ）に蓄積したアプリ情報及び／又は各Ｗｅｂ情報をもとに利用しようとする施設に応じた施設申請情報、つまり、記憶装置５２（ＤＢ）から施設に応じた情報のはき出し（ＤＢ情報のカスタマイズ）を生成し、これをサービス情報、例えば、施設申請情報として出力する。その具体例は、図５にて詳述する。
【００３９】
ステップＳ５０５：
また、クイックアレジメントシステム５の演算装置５３は、必要なときに、施設申請情報を二次元コード化し、例えば、ＱＲコードとして生成しユーザ端末１へ送信し提供する。ユーザは、ユーザ端末１にてＱＲコードを取得する（Ｓ１０２）。
【００４０】
これにより、ユーザは、ＱＲコードを受信したユーザ端末１を所望の施設３を利用するとき、持参し、施設３側の施設端末（ＱＲコード読取機）にて読み取ってもらうことで、特別な申請手続きを省略することができる。
ＱＲコードを事前に施設３側に送信しておいて、申請手続きを省略してもよい。
【００４１】
図５は、クイックアレジメントシステム５におけるサービス情報（施設申請情報）を生成する様子を説明する図である。
【００４２】
クイックアレジメントシステム５は、記憶装置５２における児童情報ＤＢ５２１、アレルギー情報ＤＢ５２２、利用履歴ＤＢ５２３、施設情報ＤＢ５２４、空き情報ＤＢ５２５、契約情報ＤＢ５２６の各情報をもとに各施設に応じた情報を抽出し、ＤＢ情報のカスタマイズを行う。例えば、図示のように、各情報間で関連性の高い情報を組み合わせた３つのケース（Ｃａｓｅ１、２、３）のカスタマイズを行う。
【００４３】
ケース１は、利用履歴ＤＢにおけるＰＭＣ．ｆａｍおよび契約情報ＤＢにおけるホテル、ベビーシッター、レンタカー、アクティビティのカスタマイズであり、ケース２は、アレルギー情報ＤＢにおける食物アレルギーおよび施設情報ＤＢにおけるレストランのカスタマイズであり、ケース３は、児童情報ＤＢにおける保護者の氏名、住所、生年月日、子（児童）の氏名、性別、出生場所、生年月日、子の身長、体重、血液型、子の発育歴（例えば、食事、睡眠、性格など）、子の健康状態（平均体温、現在かかっている病気など）、子の過去の病気（含予防接種情報）、施設情報ＤＢや空き情報ＤＢにおける旅館、保育園のカスタマイズである。
つまり、カスタマイズとは、各施設で決められたフォーマット、例えば、利用申込書や施設申請書などのフォーマットを充足する各情報を抽出し（施設に応じた情報のはき出し）、これらを施設に応じたＤＢ情報とすることである。
【００４４】
図６は、クイックアレジメントシステム５におけるサービス情報（施設申請情報）をもとに施設に応じた情報をＱＲコード化してＱＲコードを生成する様子を説明する図である。
また、クイックアレジメントシステム５は、施設に応じた情報のはき出し、つまり、カスタマイズしたＤＢ情報をケース（Ｃａｓｅ１〜３）ごとに既存の符号化技術を利用してＱＲコード化（ＱＲコード生成）し、また、各施設対応のＷｅｂページを生成する。そして、ユーザ端末を介してユーザに提供する。
【００４５】
ユーザは、クイックアレジメントシステムから提供されたＱＲコードをユーザ端末に保存する。
これにより、ユーザが各施設を利用するとき、手作業による各手続処理の簡略化を図ることが可能となる。
【００４６】
例えば、ユーザが家族旅行でホテルなどを使用するとき、ケース１におけるＱＲコードをホテル側に提示し、ＱＲコードをホテル側のＱＲコード読取機で読み取ってもらうだけで、特別な手作業によるチェックイン手続きを省略することができる。また、ホテル側にとっては、ＱＲコードを読み取るだけで、ユーザに対して様々なサービスや情報の提供をスムーズに行うことができ、ツアーの一元管理が便利である。
【００４７】
また、ユーザがレストランを利用するとき、ケース２におけるＱＲコードをレストラン側に提示し、ＱＲコードをレストラン側のＱＲコード読取機で読み取ってもらうだけで、アレルギー対象以外のメニューや、情報の提供を受けることができる。
【００４８】
また、ユーザが保育園に一時預かってもらう場合、ケース３におけるＱＲコードを保育園側に提示し、ＱＲコードを保育園側のＱＲコード読取機で読み取ってもらうだけで、子どもの受け渡し時の諸手続きの短縮や書類の事前準備などの手間を短縮することが可能である。
【００４９】
以上述べた実施例によれば、ユーザは、ユーザ端末で受けたＱＲコードを利用しようとする施設側にＷｅｂサイトを介して送信する又は直接出向いたとき、施設側の施設端末で読み取ってもらうだけで、利用手続や申請手続きなどの簡略化を図ることができる。
【符号の説明】
【００５０】
１  ユーザ端末
２  Ｗｅｂ
２１〜２３  Ｗｅｂサイト
３  施設
３１  保育園
３２  ホテル
３３  代理店
４  ネットワーク
５  クイックアレジメントシステム
５１  通信装置
５２  記憶装置
５３  演算装置
５３１  アプリ情報収集部
５３２  Ｗｅｂ情報収集部
５３３  自動入力・更新部
５３４  サービス情報生成部
５３５  サービス情報伝達部
５３５１  コード作成・提示部
【図１】
2020107032.tif 000003
【図２】
2020107032.tif 000004
【図３】
2020107032.tif 000005
【図４】
2020107032.tif 000006
【図５】
2020107032.tif 000007
【図６】
2020107032.tif 000008